(57)【要約】【課題】  固定用クリップの被係合部の固定用ベースとデッキ材の係合溝に対する摺動可能な係合によりデッキ材を固定するデッキにおいて、デッキ周辺の美観の向上及びデッキ近接設置物に対する緩衝を図る。【解決手段】  上面被覆部３０ａと側面被覆部３０ｂとを有して断面形状がほぼＬ字形をなす端部カバー材ＥをデッキＤの周縁に装着して、前記上面被覆部と側面被覆部により各デッキ材の長手方向端部の上面及び側面、並びに端部デッキ材の端部の上面及び側面を被覆するようにした。【選択図】      図１
2005097875.tif 000002
【特許請求の範囲】
【請求項１】
根太の長手方向に対して直角方向に連続する係合溝を有する固定用ベースと、その固定用ベースの係合溝にその連続方向に摺動自在に係合される第１被係合部とデッキ材の幅方向両端部に形成され、かつデッキ材の長手方向に連続する係合溝にその長手方向に摺動自在に係合される第２被係合部を有する固定用クリップとからなるデッキ材固定金具を用いて、固定用クリップの第１被係合部を前記根太の上面に固着された固定用ベースの係合溝に、固定用クリップの第２被係合部を前記根太に載置されたデッキ材の係合溝にそれぞれその連続方向に摺動可能に係合することにより各デッキ材を前記根太に固定してなるデッキにおいて、
上面被覆部と側面被覆部とを有して断面形状がほぼＬ字形をなす端部カバー材を前記デッキの周縁に装着して、前記上面被覆部と側面被覆部により各デッキ材の長手方向端部の上面及び端面、並びに端部デッキ材の幅方向一端部の上面及び側面を被覆したことを特徴とするデッキ。
【請求項２】
デッキ材の長手方向端部を被覆する端部カバー材と、端部デッキ材の幅方向一端部を被覆する端部カバー材は、同一の断面形状を有するものであり、端部デッキ材の幅方向一端部を被覆する端部カバー材はスタート固定用ベース及び又はエンド固定用ベースをも被覆することを特徴とする請求項１に記載のデッキ。
【請求項３】
端部カバー材は、カッターで切断可能な弾性合成樹脂材料で成形されていることを特徴とする請求項１又は２に記載のデッキ。
【請求項４】
端部カバー材は、デッキ周辺の湾曲部分に沿って湾曲可能な弾性合成樹脂材料で成形されていることを特徴とする請求項３に記載のデッキ。
【請求項５】
端部カバー材は、カッターで長手方向に間隔をもって切れ目が形成されていることを特徴とする請求項３に記載のデッキ。
【発明の詳細な説明】
【技術分野】
【０００１】
本発明は、ガーデン又は屋上ガーデンに設置されるデッキに係るものであり、特に、デッキ材を根太に固定するために特定の固定金具を用いる場合のデッキに関する。
【背景技術】
【０００２】
一般的に、ガーデン又は屋上ガーデンに設置されるデッキは、地面又は床面に立設した束柱により一定の高さに固定した根太にデッキ材を載せ、これを固定手段により根太に固定して構成されている。そして、デッキの周辺には、デッキ材の端部を隠蔽して美観を向上させるために、鼻隠しと称されているカバー材が取付けられる（例えば、特許文献１参照）。
【特許文献１】特願平１１−１００８９２号公報
【０００３】
従来、デッキ材を根太に固定するには、根太に載せたデッキ材にその上方から木ねじを貫通し、これを根太にねじ込むことにより固定していた。このような固定方法を用いる場合は、デッキ材の長手方向の移動を完全に阻止できる利点があるが、デッキ上面にねじ頭が露見するので美観が損なわれる、振動を反復して受ける間にねじ頭がデッキ上面に突出して怪我の基になるなどの難点があることから、木ねじに代えて新たに開発された固定金具を用いてデッキ材を根太に固定する方法が採用されるようになった。
【０００４】
本出願人は、その様な固定金具の一つとして、根太の長手方向に対して直角方向に連続する係合溝を有する固定用ベースと、その固定用ベースの係合溝にその連続方向に摺動自在に係合される第１被係合部とデッキ材の幅方向両端部に形成され、かつデッキ材の長手方向に連続する係合溝にその長手方向に摺動自在に係合される第２被係合部を有する固定用クリップとからなるデッキ材固定金具を案出し、特願２００３−３１４４９０号明細書（以下、先願明細書という。）に開示した。この固定金具は、固定用クリップの第１被係合部を根太の上面に固着された固定用ベースの係合溝に、固定用クリップの第２被係合部を根太に載置されたデッキ材の係合溝にそれぞれ係合することにより各デッキ材を根太に固定するものである。
【０００５】
このデッキ材固定金具を用いる場合は、デッキ上面にねじ頭が露見したり、突出したりしないので美観が向上するとともに、ドライバ等の工具１つで固定用クリップを係合溝の長手方向に摺動抜脱することにより、所要の位置のデッキ材のみを容易に取り外し、補修又は交換ができる大きな利点を有する。
【発明の開示】
【発明が解決しようとする課題】
【０００６】
上記特許文献１の木ねじによる固定の場合は、デッキ材の端部を揃えることはとくに困難でないから、断面形状が短冊状又は横転Ｔ字形の鼻隠しをデッキ材の端部に密着させて用意に固着することができる。しかしながら、先願明細書に記載された固定金具は、固定用クリップの第１被係合部及び第２被係合部がそれぞれ固定用ベースに設けてある係合溝及びデッキ材に設けてある係合溝に係合し、必要な場合はデッキ材の長手方向と平行な方向に摺動することにより根太とデッキ材とを所定の位置に固定するものであるため、デッキ材の長手方向端部を完全に揃えることは困難であり、各デッキ材の端部に不揃いが生じ易い。従って、断面形状が短冊状又は横転Ｔ字形のカバー材を用いる場合は、その不揃いの端部とカバー材の間に見苦しい不揃いの隙間が露見し易く、デッキの周辺の美観の確保が容易でない。
また、根太にデッキ材を固定しただけのデッキは、簡素な美観を有するので好まれるが、上記のようにデッキ材の長手方向端部の微小不揃いは認容されない。また、デッキ材は長手方向端部に鋭い切断面を有するので、デッキ使用者を負傷させたり、デッキを建物外壁又はパラペット等に近接して設置する場合はデッキ材がこれらを損傷させたりする可能性がある。
【０００７】
本発明は、上記の点に鑑みてなされたものであり、その課題は、固定用クリップの被係合部の固定用ベースとデッキ材の係合溝に対する摺動可能な係合によりデッキ材を固定するデッキにおいて、デッキ周辺の美観の向上及びデッキ近接設置物に対する緩衝を図ることにある。
【課題を解決するための手段】
【０００８】
上記の課題を解決するため、本発明は、根太の長手方向に対して直角方向に連続する係合溝を有する固定用ベースと、その固定用ベースの係合溝にその連続方向に摺動自在に係合される第１被係合部とデッキ材の幅方向両端部に形成され、かつデッキ材の長手方向に連続する係合溝にその長手方向に摺動自在に係合される第２被係合部を有する固定用クリップとからなるデッキ材固定金具を用いて、固定用クリップの第１被係合部を前記根太の上面に固着された固定用ベースの係合溝に、固定用クリップの第２被係合部を前記根太に載置された前記デッキ材の係合溝にそれぞれその連続方向に摺動係合することにより各デッキ材を前記根太に固定してなるデッキにおいて、上面被覆部と側面被覆部とを有して断面形状がほぼＬ字形をなす端部カバー材を前記デッキの周縁に装着して、前記上面被覆部と側面被覆部により各デッキ材の長手方向端部の上面及び側面、並びに端部デッキ材の終端部の上面及び側面を被覆したことを特徴としている（請求項１）。
【０００９】
また、本発明は、デッキ材の長手方向端部を被覆する端部カバー材と、端部デッキ材の終端部を被覆する端部カバー材は、同一の断面形状を有するものであり、端部デッキ材の終端部を被覆する端部カバー材はスタート固定用ベース及び又はエンド固定用ベースをも被覆することを特徴としている（請求項２）。
【００１０】
本発明に係るデッキの端部カバー材は、デッキの湾曲している周辺に沿って湾曲可能な弾性材料で成形されていることが好ましい（請求項３）。
端部カバー材は、デッキ周辺の湾曲部分に沿って湾曲可能な弾性合成樹脂材料で成形されていることが望ましい（請求項４）。さらに、端部カバー材は、カッターで長手方向に間隔をもって切れ目が形成されていることが望ましい（請求項５）。
【発明の効果】
【００１１】
請求項１の発明によれば、端部カバー材は上面被覆部と側面被覆部とを有して断面形状がほぼＬ字形をなし、デッキの周縁に装着して、上面被覆部と側面被覆部により各デッキ材の長手方向端部の上面と側面、及び端部デッキ材の終端部の上面と側面を被覆するので、デッキ材の長手方向端部の多少の不揃いは端部カバー材により完全に隠蔽されるので、デッキ周辺の美観が向上し、あるいはデッキ周辺の建物外壁やパラペット等の近接設置物に対する緩衝効果を得ることができる。また、上面被覆部がデッキの周辺に沿って連続するので、デッキ上面の周辺からの雨水の流出や平面上を転がり易いものがデッキ周辺から転がり落ちることが防止される。
【００１２】
請求項２の発明によれば、デッキ材の長手方向端部を被覆する端部カバー材と端部デッキ材の幅方向一端部を被覆する端部カバー材は同一の断面形状を有し、端部デッキ材の幅方向一端部を被覆する端部カバー材はスタート固定用ベース及び又はエンド固定用ベースをも被覆するので、一種類のカバー材をデッキの周辺に装着することにより、根太の長手方向端部の固定金具も隠蔽され、デッキ周辺に統一した美観を備えることができる。また、低コストで美観の向上が可能である。
【００１３】
請求項３の発明によれば、端部カバー材はデッキの湾曲している周辺に沿って湾曲可能な弾性材料で成形されているので、デッキの周辺の形状が矩形の場合に限らず、湾曲部を有するものである場合にも、同一の端部カバー材を用いて美観の向上及び緩衝性能の具備が可能である。端部カバー材が、デッキ周辺の湾曲部分に沿って湾曲可能な弾性合成樹脂材料で成形されている場合は、周辺の一部又は全部が湾曲しているデッキの場合もその周辺に美観を備えることができる請求項４）。さらに、端部カバー材が、カッターで長手方向に間隔をもって切れ目が形成されている場合は、デッキ周辺の任意の湾曲部分に沿って容易に湾曲することができる。
【発明を実施するための最良の形態】
【００１４】
次に、本発明の実施の形態について図面に基づいて説明する。
図１は本発明に係る端部カバー材を装着したデッキの一例の斜視図、図２は同デッキの根太組みの一例の斜視図、図３はその根太組みの一部の分解斜視図、図４は図２の根太組みを固定枠内に固定した状態を示す一部省略斜視図、図５は使用される固定金具の種類と根太に対する固定金具の配置を説明する斜視図、図６はスタート用固定金具による端部のデッキ材の固定方法を説明する斜視図、図７は端部デッキ材に続いて中間のデッキ材を固定する方法を説明する斜視図、図８は図１のＸ−Ｘ線拡大断面図、図９は端部カバー材の湾曲加工例を示す斜視図、図１０は周辺に湾曲部分を有するデッキの一例の平面図、図１１は端部カバー材を加工するために用いる加工冶具の斜視図、図１２は加工冶具の各種使用例を示す斜視図である。
【００１５】
図１のデッキＤは、図２の根太組みＡを構成する根太２に図５に示す固定金具Ｃ1 ，Ｃ2 ，Ｃ3 を用いてデッキ材ｄを固定し、端部デッキ材の一端部及び各デッキ材の長手方向端部により形成されるデッキ周辺に端部カバー材Ｅを装着してなるものである。但し、図１のデッキの場合は、図２における振れ止め具１０は備えられていない。図２は図４に示すように中空矩形の固定枠Ｂの中に収容して固定されるデッキのための根太組みを示している。
【００１６】
根太組みＡは、平行に配置される２本の補強材１の上面にその補強材の長手方向に等間隔をおいて根太２を載置し、各根太を補強材に固定してなっている。補強材１に根太２を固定する方法は、とくに限定されないが、一例を述べれば、図３に示すように、補強材１の上面に上向きコ字形の連結金具３を載せて、その底面部においてねじ４ａで固着し、その連結金具３の側片の間に根太２を嵌合し、連結金具の側片の外側からねじ４ｂを根太２までねじ込んで固定している。
【００１７】
各根太２（又は補強材１）には雌ねじ部５が設けられ、ボルト６の下端部に緩衝材７を底面に備えた皿８を設けてなる束柱９のボルト６の軸部を前記雌ねじ部５にねじ込むことにより、設置面から根太の上面までの高さが調整可能になっている。また、図２に示すように、補強材１の少なくとも一端部には、振れ止め具１０が備えられている。振れ止め具１０は、図３に示すように、緩衝材１１を正面に備えた皿１２の底部中心にねじ軸１３を備えてなり、そのねじ軸１３を補強材１の端部に固着される振れ止め固定金具１４に設けられた雌ねじ部１５にねじ込んで取り付けられている。ねじ軸１３の振れ止め固定金具１４に関して両側には止めナット１６，１７がねじ合わせてあり、これらの止めナットの位置調整により振れ止め具の補強材１からの突出量を任意に調整可能とされている。
【００１８】
図２には、各補強材１の両端部に振れ止め具１０を備えた例が示されているが、図４に示すように、補強材の一方端部にのみと、根太２の両端部とに振れ止め具１０を備える場合もあり得る。
【００１９】
このように補強材１の両端部又は補強材１の一端部と根太２の両端部に振れ止め具１０を備えた根太組みＡを用いるデッキは、図４に示すように、固定枠Ｂの中に収容して用いられる。その場合、各振れ止め具１０の皿の緩衝材を固定枠の対向する内壁面に密着させることにより、根太組みが前後左右に振れないように固定される。しかし、デッキの設置面に対する移動の恐れがない場所に設置されるデッキの場合は、図１に示す例の場合のように、根太組みには振れ止め具が備えられない。
【００２０】
次に、前記根太組みＡの根太２に対してデッキ材を固定するための固定金具Ｃ及びその固定金具を用いてデッキ材を固定する方法について、図５ないし図７を参照しながら説明する。
固定金具には、図５に示すように、根太２の長手方向一端部にデッキ材を固定するために用いるスタート固定金具Ｃ1 と、根太の長手方向中間部にデッキ材を固定するために用いるセンター固定金具Ｃ2 と、根太の長手方向他端部にデッキ材を固定するために用いるエンド固定金具Ｃ3 との３種類がある。
【００２１】
スタート固定金具Ｃ1 は、断面形状が概略横転７字形のスタート固定用ベースｂs と、断面形状がほぼＪ字形の１個の固定用クリップｃとからなっている。そして、スタート固定用ベースｂs は、７字形の長辺に相当する部分で根太２に対する着座部１８が構成され、その着座部の幅方向一端部と７字形の短辺に相当する部分とにより形成された係合溝１９を有している。また、固定用クリップｃは、Ｊ字形の下端部に相当する部分で形成された第１被係合部２０を有し、Ｊ字形の上端部フランジに相当する部分の一端部に第１被係合部と反対方向に突出する第２被係合部２１を有している。そして、第１被係合部２０は、スタート固定用ベースｂs の係合溝１９にその連続する方向に摺動可能に嵌合することができる形状に作られている。第２被係合部２１は、後述されるデッキ材の幅方向両端部に形成されている係合溝にその連続する方向に摺動可能に嵌合することができる形状に作られている。
【００２２】
エンド固定金具Ｃ3 も、スタート固定金具ｂs と同一又は実質的に同一の形状を有するエンド固定用ベースｂe と、最初の固定用クリップｃと同一形状の１個の固定用クリップｃとからなっている。図５及び図６に示す例では、スタート固定用ベースｂs とエンド固定用ベースｂe が若干異なる形状を有しているが、これは単に一例を示したに過ぎない。  
【００２３】
これに対して、センター固定金具Ｃ2 は、一つのセンター固定用ベースｂc と、左右２個の固定用クリップｃとからなっている。センター固定用ベースｂc は、二つのスタート固定用ベースｂs 又は二つのエンド固定用ベースｂe を左右対称形になるように７字形の短辺において接合した形状に作られていて、左右両側に着座部１８を、中央に突出するＴ字状凸部２２を有し、凸部２２と着座部１８により反対方向及び長手方向に開口する係合溝１９が形成されている。実際上は、このセンター固定用ベースｂc をその幅方向中央で切断することにより、左右対称形のスタート固定用ベースｂs とエンド固定用ベースｂe とを作ることができる。これにより製造コスト低減効果が得られる。
【００２４】
それぞれの固定用ベースｂs ，ｂc ，ｂe は、これを根太２の上面に載せて固定するため、着座部１８又は係合溝を形成する凸部２２にねじを貫通するための孔２３が少なくとも１個設けられている。
【００２５】
上記固定金具Ｃ1 〜Ｃ3 を用いて根太２に固定されるデッキ材ｄの構造の一例を図６及び図７に基づいて説明する。デッキ材は、その幅方向両端部に長手方向に連続して幅方向に開口する係合溝２４d 及びＬ形凹部２４a が設けられていれば、その他の部分の形状構造はとくに制限されない。図示例のデッキ材は、アルミニウム形材２４の上面及びその肩部を一定の厚みを有する木粉入り弾性樹脂からなる表面材２５で覆ってなるものである。そして、アルミニウム形材２４は、幅方向両端部の底部にＬ形凹部２４a を、そのＬ形凹部の上側に段部２４b を、その段部の上側に上面壁の幅方向延長上に段部に向かって屈曲された屈曲部２４c を有して、幅方向中央に関して左右対称形に形成されている。Ｌ形凹部２４a の厚みは上記固定金具の固定用ベースｂs ，ｂc ，ｂe の着座部１８の厚みと等しい。アルミニウム形材２４の底壁から段部２４b までの高さは、上記固定金具のクリップｃの第１被係合部２０から第２被係合部２１までの高さに等しい。アルミニウム形材２４の屈曲部２４c は、表面材２５の両端部のアルミニウム形材２４からの分離を阻止している。表面材２５の両端部と段部２４b の間には、デッキ材の長手方向に連続して幅方向に開口する係合溝２４d が形成されている。根太２には、後述されるようにして、その一端部から他端部にかけてすべて同一形状のデッキ材ｄが所定間隔をもって固定される。
【００２６】
デッキ材ｄを根太２に固定するには、次の手順でその根太の長手方向一端部から他端部に向けてデッキ材を１枚ずつ上記固定金具Ｃ1 〜Ｃ3 を用いて固定する。すなわち、まず、図５及び図６に示すように、スタート固定金具Ｃ1 のスタート固定用ベースｂs を根太２の一端部に載せ、孔２３にねじ２６を貫通して根太にねじ込んで固定する。次に、図６（ａ）に示すように、根太２の一端に最初に固定されるデッキ材（これを本明細書では端部デッキ材という場合がある。）の幅方向一端の上位の係合溝２４d に固定用クリップｃの第２被係合部２１を係合して固定する。この場合、クリップｃの第２被係合部２１を係合溝２４d に係合するには、第２被係合部２１を係合溝２４d の所定位置にデッキ材に対して直角方向に強く押し込んで係合する方法と、クリップｃの第２被係合部２１をデッキ材ｄの長手方向端部から係合溝１９にその長手方向に挿入し、そのまま所定位置まで摺動する方法とのいずれも可能である。続いて、クリップｃを取り付けたデッキ材ｄを図６（ｂ）に示すように、根太２に載せて根太の一端部方向に摺動してそのクリップｃの第１被係合部２０をスタート固定用ベースｂs の係合溝１９に係合させる。これにより、端部デッキ材ｄ1 の幅方向一端部が図７（ａ）に示すように、根太２に固定される。
【００２７】
図６には、一つの根太２に対応する一つの固定金具Ｃ1 、すなわち、スタート固定用ベースｂs と固定用クリップｃのみが示されているが、他の根太においても他の固定金具により端部デッキ材ｄ1 の一端部が固定されている。
【００２８】
次に、図７（ａ）に示すように、センター固定金具Ｃ2 を構成する二つのクリップｃの内、一つのクリップｃを端部デッキ材ｄ1 の他端側に取り付ける。すなわち、最初のクリップを端部デッキ材ｄ1 の一端側の係合溝２４d に取り付けたのと同じ要領で、端部デッキ材ｄ1 の他端側の上位係合溝２４d にクリップｃの第２被係合部２１を係合して固定する。続いて、センター固定金具Ｃ1 のセンター固定用ベースｂe を根太２に載せて端部デッキ材ｄ1 の方向に摺動し、図７（ｂ）に示すように、そのセンター固定用ベースｂc の一方の着座部１８を端部デッキ材ｄ1 のＬ形凹部２４a に嵌合すると同時にクリップｃの第１被係合部２０をセンター固定用ベースｂc の係合溝１９に係合して固定する。センター固定用ベースｂc に設けてある孔２３からねじ２６を貫通し、根太２にねじ込んでセンター固定用ベースｂc を根太に固着する。これにより、端部デッキ材ｄ1 はその両端部が根太２に固定されたことになる。
【００２９】
次は、２番目のデッキ材ｄ2 をセンター固定金具Ｃ2 を用いて根太２に固定するが、その２番目のデッキ材ｄ2 の一端部に最初のセンター固定金具Ｃ2 のもう一つのクリップｃを取付け、以下は、最初のデッキ材ｄ1 のクリップｃをスタート固定用ベースｂs に対して係合して固定した場合と同様に、根太２に載せた２番目のデッキ材ｄ2 を端部デッキ材方向に摺動してセンター固定用ベースｂc の他方の着座部１８を２番目のデッキ材ｄ2 のＬ形凹部２４a に嵌合させると同時にクリップｃをセンター固定用ベースｂc の反対側の係合溝１８に係合させて、２番目のデッキ材ｄ2 の一端部を根太２に固定する。
【００３０】
２番目のデッキ材ｄ2 の他端部の固定から根太の他端部に取付けられる端部デッキ材ｄn の一端部の固定までは、図７（ａ）（ｂ）に示されたデッキ材ｄ1 の他端部に対するクリップｃの取付け、センター固定用ベースｂc のデッキ材ｄ1 の他端部のＬ形凹部２４a への嵌合及びそのクリップとの係合、センター固定用ベースｂc の根太２に対する止着、次のデッキ材の一端部に対するクリップの取付け、そのクリップのセンター固定用ベースｂc に対する係合によるデッキ材の一端部の固定が、順次繰り返し行われる。
【００３１】
そして、一端部が最後のセンター固定用ベースｂc に固定された最終の端部デッキ材ｄn を根太２に固定する場合は、その他端部の上位係合溝２４d にエンド固定金具Ｃ3 のクリップｃの第２被係合部２１を係合し、次いで、根太２の他端部にエンド固定用ベースｂe を載せ、根太２の一端部方向に摺動して、そのエンド固定用ベースｂe の着座部１８を端部デッキ材の他端部のＬ形凹部に嵌合すると同時に、クリップｃの第１被係合部２０をエンド固定用ベースｂe の係合溝  に係合してそのデッキ材とエンド固定用ベースｂe を結合する。その後、エンド固定用ベースｂe に設けてある孔  からねじ  を貫通して根太２にねじ込むことにより、最終の端部デッキ材ｄn の両端部を根太２に固定する。
【００３２】
上記デッキ材の固定構造において、各固定用クリップｃは各固定用ベースｂs ，ｂc ，ｂe の係合溝に沿って及びデッキ材の上位係合溝に沿って摺動可能である。従って、もちろん、各デッキ材はその長手方向端部が一直線上に整列されるように位置決めして取付けられるが、デッキ材の加工公差及び位置決め誤差により端部の若干の不揃いは避けられない。
【００３３】
上記デッキ材の固定構造において、各固定用クリップｃは各固定用ベースｂs ，ｂc ，ｂe の係合溝に沿って及びデッキ材の上位係合溝に沿って摺動可能である。従って、もちろん、各デッキ材はその長手方向端部が一直線上に整列されるように位置決めして取付けられるが、デッキ材の加工公差及び位置決め誤差により端部の若干の不揃いは避けられない。
【００３４】
そこで、本発明においては、図１に示すように、デッキＤの周辺に端部カバー材Ｅが装着されている。端部カバー材Ｅは、図１の部分拡大図及び図８に示すように、デッキ材の長手方向端部の上面又は端部デッキ材の幅方向一端部の上面を覆う上面被覆部３０ａとデッキ材の長手方向端部の側面又は端部デッキ材の幅方向一端部の側面を覆う側面被覆部３０ｂとを有して、断面ほぼＬ字状に形成されている。端部カバー材Ｅは、デッキ材の長手方向の端部に装着され、上面被覆部３０ａをデッキ材の上面及び／又は側面に接着して固定される。側面被覆部３０ｂをデッキ材の長手方向端面又は固定用ベースに接着してもよい。
【００３５】
端部カバー材Ｅは合成樹脂材料で成形され、デッキ材ｄの表面材２５と同じ色、例えば、乾燥木材の色彩と同様の茶色に着色されている。これにより、デッキは周辺を含めて全面が統一的な色調に仕上げられている。また、端部カバー材Ｅは適度な剛性を有する弾性合成樹脂材料で成形されているので、端部カバー材Ｅをデッキ材ｄと同様の強度を備えることができるとともに、デッキの周辺にデッキの周辺の長さに合致する長さに容易に切断できることができる。さらに、弾性合成樹脂製とした場合は、広く使用されている市販のカッターを用いて、容易に端部カバー材Ｅを任意の角度に切断して、デッキの縦辺の端部カバー材Ｅと横編の端部カバー材Ｅとの接続角度を図１に示す例のように直角にしたり、図１０に例示するように４５度その他の任意の角度にすることができる。
【００３６】
さらに、デッキの形状は、図１に示すＤのような矩形のほか、施主の好みや設置場所の形状に応じて、図１０に例示するＤ´のように周辺の一部又は全部が湾曲しているものがあり得る。弾性合成樹脂製の端部カバー材は、図９に部分的に示すように、その長手方向に間隔を置いた位置において長手方向に対して直角方向のスリット３１をカッターにより設け、その端部カバー材Ｅ´を図１０に示すようにデッキの周辺の湾曲部分に沿って湾曲して接着することにより、他の辺の端部カバー材Ｅと一体的に連続する端部カバーを装着することができる。
【００３７】
図１１は、市販カッターを用いて上記合成樹脂製の端部カバー材Ｅを長手方向に対して（ａ）９０度切断、（ｂ）４５度切断、（ｃ）側面切断及び（ｄ）上面切断の４種類の切断が可能なように作られた加工冶具Ｆを示す。この加工冶具Ｆは、角筒体４０に前後両側の壁４１，４２と上面壁４３とに角筒体の軸線に対して直角な面に沿って連通し、かつ端部カバー材Ｅの上面被覆部３０ａ又は側面被覆部３０ｂを挿入できる第１スリット４４と、前記前後両側と上面の壁４１，４２，４３とに角筒体の軸線に対して４５度の傾斜面に沿って連通し、かつ端部カバー材Ｅの上面被覆部３０ａ又は側面被覆部３０ｂを挿入できる第２スリット４５とを設けて構成されている。
【００３８】
加工冶具Ｆを用いて上記端部カバー材Ｅを直角に切断する場合は、図１２（ａ）の示すように、端部カバー材Ｅの端部の上面被覆部３０ａ又は側面被覆部３０ｂの一方を第１スリット４４に挿入するとともに、上面被覆部３０ａ又は側面被覆部３０ｂの他方を角筒体４０の上面壁４３に当接して固定し、カッターＧのエッジ５０を角筒体４０の一つの側面４１又は４２もしくは稜線４６に案内させて下方又は手前に移動することにより、上面被覆部３０ａ及び側面被覆部３０ｂを一挙に切断する。
【００３９】
端部カバー材Ｅを４５度に切断する場合は、図１２（ｂ）の示すように、端部カバー材Ｅの端部の上面被覆部３０ａ又は側面被覆部３０ｂの一方を第２スリット４５に挿入するとともに、上面被覆部３０ａ又は側面被覆部３０ｂの他方を角筒体４０の上面壁４３に当接して固定し、カッターＧのエッジ５０を角筒体４０の一つの側面４１又は４２もしくは稜線４６に案内させて下方又は手前に移動することにより、上面被覆部３０ａ及び側面被覆部３０ｂを一挙に切断する。
【００４０】
次に、端部カバー材Ｅの側面被覆部３０ｂのみを９０度に切断する場合は、図１２（ｃ）に示すように、端部カバー材Ｅの側面被覆部３０ｂを第１スリット４４に挿入するとともに、上面被覆部３０ａを角筒体４０の上面壁４３に当接して固定し、カッターＧのエッジ５０を上面被覆部３０ａと側面被覆部３０ｂの境界に沿って角筒体４０の一つの側面に止められるまで移動して分離線を形成し、続いて、そのカッターのエッジを角筒体４０の前記側面に案内させて第１スリット４４の下方から上方に前記分離線に到達するまで移動することにより、側面被覆部３０ｂの端部を切除することができる。
【００４１】
端部カバー材Ｅの上面被覆部３０ａのみを９０度に切断する場合は、図１２（ｄ）に示すように、端部カバー材Ｅの側面被覆部３０ａを第１スリット４４に挿入するとともに、上面被覆部３０ａを角筒体４０の上面壁４３に当接して固定し、カッターＧのエッジ５０を上面被覆部３０ａと側面被覆部３０ｂの境界に沿って角筒体４０の一つの側面に止められるまで移動して分離線を形成し、続いて、そのカッターのエッジを角筒体４０の前記側面に案内させて第２スリット４６側から第１スリット４４の方向に前記分離線に到達するまで移動することにより、上面被覆部３０ａの端部を切除することができる。
【００４２】
上記のように、図１１図示の加工冶具は、小さい１個で端部カバー材の９０度切断、４５度切断、側面のみ切断及び上面のみ切断の４種類の切断に用いることができ、デッキの周辺仕上げ施工に非常に便利である。
【図面の簡単な説明】
【００４３】
【図１】本発明に係る端部カバー材を装着したデッキの一例の斜視図。
【図２】同デッキの根太組みの一例の斜視図。
【図３】根太組みの一部の分解斜視図。
【図４】図２の根太組みを固定枠内に固定した状態を示す一部省略斜視図。
【図５】使用される固定金具の種類と根太に対する固定金具の配置を説明する斜視図。
【図６】スタート用固定金具による端部のデッキ材の固定方法を説明する斜視図。
【図７】端部デッキ材に続いて中間のデッキ材を固定する方法を説明する斜視図。
【図８】図１のＸ−Ｘ線拡大断面図。
【図９】端部カバー材の湾曲加工例を示す斜視図。
【図１０】周辺に湾曲部分を有するデッキの一例の平面図。
【図１１】端部カバー材を加工するために用いる加工冶具の斜視図。
【図１２】加工冶具の各種使用例を示す斜視図。
【符号の説明】
【００４４】
Ｄ，Ｄ´      デッキ
ｄ1 ，ｄ2 ，…，ｄn-1 ，ｄn     デッキ材
Ｃ1 ，Ｃ2 ，Ｃ3         固定金具
Ｅ，Ｅ´      端部カバー材
３０ａ      上面被覆部
３０ｂ      側面被覆部
【図１】
2005097875.tif 000003
【図２】
2005097875.tif 000004
【図３】
2005097875.tif 000005
【図４】
2005097875.tif 000006
【図５】
2005097875.tif 000007
【図６】
2005097875.tif 000008
【図７】
2005097875.tif 000009
【図８】
2005097875.tif 000010
【図９】
2005097875.tif 000011
【図１０】
2005097875.tif 000012
【図１１】
2005097875.tif 000013
【図１２】
2005097875.tif 000014